(57)【特許請求の範囲】
【請求項１】
磁気テープに記録された情報を読み出し、該読み出された情報を他の磁気記録再生装置に記録させることにより編集動作を行う磁気記録再生装置において、
編集プログラミング時に、前記情報が読み出される磁気テープの編集開始点および編集終了点を決定する決定手段と、
該決定された編集開始点および編集終了点を記憶する記憶手段と、
編集実行時に、前記記憶手段に記憶された編集開始点および編集終了点に応じて前記情報の読み出しを行うとともに、前記他の磁気記録再生装置の記録動作を制御する制御手段とを備え、
前記決定手段により編集開始点および編集終了点を決定する際は、単一の操作手段を操作することにより編集開始点および編集終了点の指定、および前記編集プログラミング中の再生速度の切替が行われることを特徴とする磁気記録再生装置。
【請求項２】
前記単一の操作手段を繰り返し操作することによって、少なくとも高速再生、通常速度再生、編集開始点の指定および編集終了点の指定の各機能が所定の順番で実行可能になるとともに、次に実行される機能を画面に表示する表示手段とを備えたことを特徴とする請求項１記載の磁気記録再生装置。
【請求項３】
前記単一の操作手段が操作された場合は、前記編集プログラミング時に再生画像を出力し続けることを特徴する請求項１記載の磁気記録再生装置。
【請求項４】
磁気テープに記録された情報を読み出し、該読み出された情報を磁気記録再生装置に記録させることにより編集動作を行う磁気記録再生方法において、
編集プログラミング時に、前記情報が読み出される磁気テープの編集開始点および編集終了点を決定し、
該決定された編集開始点および編集終了点を記憶し、
編集実行時に、前記記憶された編集開始点および編集終了点に応じて前記情報の読み出しを行うとともに、前記磁気記録再生装置の記録動作を制御する各工程を有し、
前記編集プログラミング時は、単一の操作手段を操作することにより編集開始点および編集終了点の指定、および前記編集プログラミング中の再生速度の切替を行うことを特徴とする磁気記録再生方法。
【請求項５】
編集機能を内蔵した再生装置において、
通常の再生モードから編集をプログラミング或いは実行するための編集モードへの変更を指示するモード変更手段と、
前記モード変更手段によって編集モードに変更された場合において、編集プログラミング時と編集実行時とで異なる再生制御を行う処理手段とを備え、
前記処理手段は、
前記編集プログラミング時の場合、情報の再生動作を行うとともに、単一の操作手段が操作されることに応じて編集開始点および編集終了点の決定、および再生速度の変更を行って、決定された編集開始点および編集終了点を記憶し、
前記編集実行時の場合、前記記憶された編集開始点および編集終了点に応じた情報の再生を行うとともに、他の記録装置の記録動作を制御して再生した情報を記録させることを特徴とする再生装置。
【請求項６】
前記処理手段は、前記単一の操作手段が繰り返し操作されることに応じて、少なくとも高速再生、通常速度再生、編集開始点の決定および編集終了点の決定を所定の順番で実行することを特徴とする請求項５記載の再生装置。
【発明の詳細な説明】
【０００１】
【発明の属する技術分野】
本発明は、画像および音声を磁気テープに記録・再生するビデオテープレコーダ（ＶＴＲ）などの磁気記録再生装置に関する。
【０００２】
【従来の技術】
図５は従来のビデオテープの編集方法を示す説明図である。従来では、再生側ＶＴＲ３１の画像および音声出力３０ｂを記録側ＶＴＲ３２の入力に接続し、専用の編集機３３を再生側および記録側の両方のＶＴＲに接続することによって編集が行われていた。即ち、接続された編集機３３は複数の編集開始点（カットイン点）と編集終了点（カットアウト点）をプログラムするために、再生側ＶＴＲ３１にコマンド３０ａを送出するように操作され、複数のカットイン点およびカットアウト点を記憶する。
【０００３】
その後の編集動作では、編集機３３はプログラムされたカットイン点からカットアウト点までの間を再生するためのコマンド３０ａを再生側ＶＴＲ３１に送出し、それに応じて記録側ＶＴＲ３２に記録開始および記録終了のコマンド３０ｃを送出し、再生側ＶＴＲ３１と記録側ＶＴＲ３２の同期をとって自動編集を行っていた。
【０００４】
ここで、カットイン点、カットアウト点とは、他のテープへ複製したいシーンの開始位置と終了位置とを表すテープカウンタ値である。テープに絶対位置が記録されているようなシステムにおいては、その位置をテープカウンタ値とすることが可能であるが、一般的にはテープに圧着して回転する回転体（キャプスタンモータ）から出力されるパルスをカウントすることによって、テープの相対位置を計測する。
【０００５】
近年、上記編集機の機能が内蔵されたＶＴＲが提案されている。即ち、カットイン点、カットアウト点を決定するプログラム機能と、このプログラム内容に応じて再生側ＶＴＲとしてカットイン点からカットアウト点までの間を再生するように動作し、その動作中に記録側ＶＴＲを制御するために記録開始および記録終了コマンドを発生させるＶＴＲである。
【０００６】
このようなＶＴＲでは、記録側ＶＴＲを制御する手段として赤外リモコンを使用することが一般的であり、さまざまなメーカのＶＴＲを制御しなければいけないことからリモコンコードの学習機能が内蔵されているＶＴＲも登場している。
【０００７】
このような編集機能内蔵ＶＴＲを使用する自動編集では、専用の編集機を必要としない、リモコンによって制御するために記録側ＶＴＲの制約が少ない、複雑な配線をする必要がない、などの利点が挙げられる。
【０００８】
【発明が解決しようとする課題】
しかしながら、上記従来例では以下に掲げる問題点があり、その改善が要望された。即ち、カットイン・カットアウト点のプログラミングを行うためには本体に設置されている再生、ストップ、早送りなどのレコーダキーおよびカットイン・カットアウト入力キーを複雑に操作しなければならなかった。
【０００９】
また、編集プログラミング操作中、通常のモード遷移、例えばＦＦ→ＳＴＯＰ→ＰＬＡＹの時に画面にミュートがかかってしまい、そのミュート中に目的のポイントが通り過ぎてしまい、編集ポイントの検索が困難である。
【００１０】
さらに、編集プログラミング操作中およびその編集動作中、ＰＬＡＹ、ＳＴＯＰ、ＦＦ、ＲＥＷ、ＦＦサーチ、ＲＥＷサーチなどの通常のＶＴＲモードを行うと、ピンチローラとキャプスタンモータの圧着が解かれてしまう場合が多数発生し、相対的なテープカウンタ方式ではカットイン・カットアウト点のカウンタ値がずれてしまう。
【００１１】
そこで、本発明は内蔵された編集機能を用いて編集作業を行う際、操作しやすくしかもずれることなくテープの編集ポイントを容易に検索できる磁気記録再生装置を提供することを目的とする。
【００１２】
【課題を解決するための手段】
上記目的を達成するために、本発明の請求項１に係る磁気記録再生装置は、磁気テープに記録された情報を読み出し、該読み出された情報を他の磁気記録再生装置に記録させることにより編集動作を行う磁気記録再生装置において、編集プログラミング時に、前記情報が読み出される磁気テープの編集開始点および編集終了点を決定する決定手段と、該決定された編集開始点および編集終了点を記憶する記憶手段と、編集実行時に、前記記憶手段に記憶された編集開始点および編集終了点に応じて前記情報の読み出しを行うとともに、前記他の磁気記録再生装置の記録動作を制御する制御手段とを備え、前記決定手段により編集開始点および編集終了点を決定する際は、単一の操作手段を操作することにより編集開始点および編集終了点の指定、および前記編集プログラミング中の再生速度の切替が行われることを特徴とする。
【００１３】
請求項２に係る磁気記録再生装置では、請求項１に係る磁気記録再生装置において、前記単一の操作手段を繰り返し操作することによって、少なくとも高速再生、通常速度再生、編集開始点の指定および編集終了点の指定の各機能が所定の順番で実行可能になるとともに、次に実行される機能を画面に表示する表示手段とを備えたことを特徴とする。
【００１４】
請求項３に係る磁気記録再生装置では、請求項１に係る磁気記録再生装置において、前記単一の操作手段が操作された場合は、前記編集プログラミング時に再生画像を出力し続けることを特徴とする。
【００１５】
請求項４に係る磁気記録再生方法は、磁気テープに記録された情報を読み出し、該読み出された情報を磁気記録再生装置に記録させることにより編集動作を行う磁気記録再生方法において、編集プログラミング時に、前記情報が読み出される磁気テープの編集開始点および編集終了点を決定し、該決定された編集開始点および編集終了点を記憶し、編集実行時に、前記記憶された編集開始点および編集終了点に応じて前記情報の読み出しを行うとともに、前記磁気記録再生装置の記録動作を制御する各工程を有し、前記編集プログラミング時は、単一の操作手段を操作することにより編集開始点および編集終了点の指定、および前記編集プログラミング中の再生速度の切替を行うことを特徴とする。
【００１６】
請求項５に係る再生装置は、編集機能を内蔵した再生装置において、通常の再生モードから編集をプログラミング或いは実行するための編集モードへの変更を指示するモード変更手段と、前記モード変更手段によって編集モードに変更された場合において、編集プログラミング時と編集実行時とで異なる再生制御を行う処理手段とを備え、前記処理手段は、前記編集プログラミング時の場合、情報の再生動作を行うとともに、単一の操作手段が操作されることに応じて編集開始点および編集終了点の決定、および再生速度の変更を行って、決定された編集開始点および編集終了点を記憶し、前記編集実行時の場合、前記記憶された編集開始点および編集終了点に応じた情報の再生を行うとともに、他の記録装置の記録動作を制御して再生した情報を記録させることを特徴とする。
【００１７】
請求項６に係る再生装置は、請求項５記載の再生装置において、前記処理手段は、前記単一の操作手段が繰り返し操作されることに応じて、少なくとも高速再生、通常速度再生、編集開始点の決定および編集終了点の決定を所定の順番で実行することを特徴とする。
【００１８】
【発明の実施の形態】
本発明の磁気記録再生装置の実施の形態について説明する。本実施の形態における磁気記録再生装置は編集機能内蔵ＶＴＲに適用される。
【００１９】
図１は実施の形態における編集機能内蔵ＶＴＲの構成を示す説明図である。図において、１０は編集機能内蔵再生側ＶＴＲである。
【００２０】
１１はＶＴＲの再生、停止などを操作するためのレコーダキーであり、押下されたキーに応じた直流電圧１１ａを発生する。１２は直流電圧１１ａをＡ／Ｄ変換するＡ／Ｄ変換器、１３は編集操作を行う編集操作キーである。
【００２１】
１４は通常のＶＴＲモードと編集モードとを切り替えるモードセレクトスイッチ、１５はＶＴＲ全体の動作を司る処理手段、１６はメカデッキ、１７は処理手段１５によって読み書きされる記憶手段、１８はメカデッキ１６からの再生信号を受けビデオ／オーディオ信号を処理するビデオ／オーディオ信号処理手段である。
【００２２】
１９は処理手段１５からのリモコンコマンド１１ｅを発光するリモコン発光ＬＥＤ、２０はリモコン発光ＬＥＤ１９からのコマンドを受けることによってビデオ／オーディオ信号処理手段１８からの映像信号および音声信号１１ｊを記録する記録側ＶＴＲである。図１において、記録側ＶＴＲ２０以外の各部は全て再生側ＶＴＲ１０に含まれる。
【００２３】
再生側ＶＴＲ１０の動作には、少なくとも通常のＶＴＲモードと、編集プログラミングおよびそれを実行する編集モードとの２種類のモードが存在し、これらモードはモードセレクトスイッチ１４によって選択される。
【００２４】
再生側ＶＴＲ１０では、選択されたモードと、処理手段１５が受け付ける操作入力、すなわちＡ／Ｄ変換器１２からのディジタル電圧信号１１ｂおよび編集操作キー１３からの編集操作信号１１ｃとに応じてＶＴＲモードが遷移し、処理手段１５が周辺各部を制御する。
【００２５】
処理手段１５は、モードの遷移に応じてメカデッキ１６に対し、その状態を各種センサから検出すると共に各モータの起動・停止およびその回転方向を制御するコマンドなどを信号線１１ｆを通じて出力する。また同様に、処理手段１５は、ビデオ／オーディオ信号処理手段１８に対してもモードの遷移などに応じて、再生、ミュートなどのコマンドや表示用の文字情報などを信号線１１ｇを通じて出力する。
【００２６】
また、編集モードである場合、処理手段１５はプログラム動作時、編集操作キー１３によってプログラムされたカットイン、カットアウト点のカウンタ値を記憶手段１７に記憶する。編集動作の実行時、処理手段は記憶手段１７に記憶されたデータに応じて再生、リモコンコマンド発生などの制御を行う。即ち、プログラムされたカットイン点の手前より再生を開始し、カットイン点を通過するときにリモコン発光ＬＥＤ１９に対して記録開始のリモコンデータを送出する。その後、通常に再生を継続し、カットアウト点を通過するときに再びリモコン発光ＬＥＤに対し、記録終了のリモコンデータを送出する。プログラムされた複数のデータに対して上記制御を繰り返すことによって編集が行われる。
【００２７】
上記機能を有する編集機能内蔵ＶＴＲ１０の編集動作について説明する。図２は編集機能内蔵ＶＴＲの編集モード時における出力画面を示す説明図である。画面表示４１を用いてそのレイアウトを示す。画面表示４１の右上部には現在のモード（ＰＬＡＹ）、その下には現在のテープ位置を表すカウンタ情報（１：０９：５８）、画面中央左側には既にプログラムされたカットイン位置のカウンタ値（−：−：−  未プログラム状態を表す）、その右側には既にプログラムされたカットアウト位置のカウンタ値（−：−：−  同様に未プログラム状態）、画面下部には編集操作キー１３の機能を表すアイコン群が表示されている。
【００２８】
この画面表示４１は、まだ何もプログラムされていない再生状態を表している。この状態における編集操作キー１３の機能はカットイン点の入力であり、これを初期機能として編集操作キー１３は１度押される度に
ＨＳＣ→ＰＬＡＹ→ＣｕｔＯＵＴ入力→ＨＳＣ→ＰＬＡＹ→ＣｕｔＩＮ入力
（ＨＳＣ：正方向高速サーチ）
とサイクリックにその機能を変化させる。
【００２９】
また、画面下部に表示された編集操作キー１３のアイコン群の中で、現在選択されている機能が反転表示される。画面表示４１の状態から編集操作キー１３が押下されると、画面表示４２に切り替わる。即ち、押下された時点のテープ位置を表すカウンタ値（１：１０：１１）がカットイン点として記憶手段１７に記憶されると共に、カットイン点の位置が画面表示される。
【００３０】
このときのＶＴＲモードは通常再生であり、また、編集操作キー１３の機能はＨＳＣとなっている。この状態から編集操作キー１３を押下すると、画面表示４３に示すようにＶＴＲモードは高速サーチへと切り替わり、再生画面を確認しながらカットアウト点に素早く到達することが可能となる。
【００３１】
この時点での編集操作キー１３の機能は下部に反転表示されているようにＰＬＡＹである。画面を確認しながら所望のカットアウト点が近づいたことを認識したら、ユーザは再び編集操作キー１３を押下する。画面表示４４に示すように、通常再生画面に切り替わり、編集操作キー１３の機能はカットアウト点の入力と変化する。
【００３２】
所望の再生位置で編集操作キー１３を押下すると、その時点のカウンタ値（１：２２：１７）がカットアウト点として記憶手段１７に記憶されると共に、画面表示４５に示すようにカットアウト点が表示位置に画面表示される。
【００３３】
したがって、ユーザは通常の再生で詳細に画面を確認しながらカットアウト点を決定することが可能である。この時点で編集操作キー１３の機能は再びＨＳＣとなっており、つぎのカットイン点への素早いテープ送りを行うことができる。
【００３４】
図３は編集プログラミング時のモード遷移を示す説明図である。符号５１で示す正方向高速サーチモード（ＨＳＣ）から符号６３で示す通常再生モード（ＰＬＡＹ）へのモード遷移を詳細に示す。このモード遷移には２種類の経路が存在し、それは押下されたキー情報６４でスイッチ５２を切り替えることによって選択される。
【００３５】
すなわち、押下キー情報６４が編集操作キー１３であった場合、その経路は上方の符号５３で示す９倍速（×９）から符号５６で示す３倍速（×３）を経て直接にＰＬＡＹ６３に到達する。押下キー情報６４がレコーダキー１１であった場合、その経路は下方の符号５７で示す９倍速（×９）から符号６１で示す１倍速（×１）を経て一旦ＳＴＯＰ６２を経由してその後ＰＬＡＹ６３に到達する。この場合は通常のモード遷移であるので、再生画面には途中ミュートがかかってしまい、連続的に再生画面を確認することが不可能となる。
【００３６】
しかし、編集操作キー１３によるプログラミング操作時には常に再生画面を出画しているので、連続的に再生画面を確認することが可能となっている。
【００３７】
また、切り替えスイッチ５２をモードセレクトスイッチ情報によって制御すると、編集モード時に連続して出画状態を保持するようにモード遷移を行うことが可能となり、より快適な編集プログラミングを行うことが可能である。
【００３８】
また、図３に表されたモード遷移はＳＴＯＰ６２を経由せずにＨＳＣ５１からＰＬＡＹ６３に遷移するので、テープとキャプスタンモータの圧着を解かないで済む。即ち、回転体からのパルスをカウントすることによる相対的なカウンタ方式ではカウンタ値とテープ位置とのずれが発生しないことになる。
【００３９】
したがって、カットイン、カットアウトの編集ポイントとカウンタ値との対応がずれないので、精度の高い編集を行うことが可能となる。
【００４０】
図４は編集動作時にテープおよびキャプスタン間の圧着を解かないようにしたモード遷移を示す説明図である。ＳＴＯＰキーが押下された場合のモード遷移では、ＳＴＯＰモードではなく、静止画像を再生するＳＴＩＬＬモード７３に移行する。また、ＳＴＩＬＬモード７３においてＳＴＯＰキーが押下されることによって初めてＳＴＯＰモード７４に移行する。
【００４１】
また、ＦＦモード７１の代わりにＨＳＣモードを、ＲＥＷモード７２の代わりにＨＳＲ（高速逆方向サーチ）を使用することとすると、ＳＴＯＰモード７４に移行しない限りテープカウンタのずれが発生しないと同時に常に出力画面を確認することが可能となる。
【００４２】
【発明の効果】
本発明の請求項１に係る磁気記録再生装置によれば、磁気テープに記録された情報を読み出し、該読み出された情報を他の磁気記録再生装置に記録させることにより編集動作を行う際、編集プログラミング時に、前記情報が読み出される磁気テープの編集開始点および編集終了点を決定し、該決定された編集開始点および編集終了点を記憶し、編集実行時に、前記記憶手段に記憶された編集開始点および編集終了点に応じて前記情報の読み出しを行うとともに、前記他の磁気記録再生装置の記録動作を制御し、前記決定手段により編集開始点および編集終了点を決定する際は、単一の操作手段を操作することにより編集開始点および編集終了点の指定、および前記編集プログラミング中の再生速度の切替が行われるので、編集プログラミングの操作を容易に行うことができるとともに、編集を実行することによってその内容を記録再生装置に記録させることができ、もって操作しやすくしかもずれることなくテープの編集ポイントを容易に検索することができる。
【００４３】
請求項２に係る磁気記録再生装置によれば、前記単一の操作手段を繰り返し操作することによって、少なくとも高速再生、通常速度再生、編集開始点の指定および編集終了点の指定の各機能が所定の順番で実行可能になるとともに、次に実行される機能を画面に表示する表示手段を備えたので、ユーザに分かりやすく編集プログラミングのための操作を行うことができる。
【００４４】
請求項３に係る磁気記録再生装置によれば、前記単一の操作手段が操作された場合は、前記編集プログラミング時に再生画像を出力し続けるので、編集開始点および編集終了点などの編集ポイントの検索を容易に行うことができる。
【００４５】
請求項４に係る磁気記録再生方法によれば、磁気テープに記録された情報を読み出し、該読み出された情報を磁気記録再生装置に記録させることにより編集動作を行う磁気記録再生方法において、編集プログラミング時に、前記情報が読み出される磁気テープの編集開始点および編集終了点を決定し、該決定された編集開始点および編集終了点を記憶し、編集実行時に、前記記憶された編集開始点および編集終了点に応じて前記情報の読み出しを行うとともに、磁気記録再生装置の記録動作を制御する各工程を有し、前記編集プログラミング時は、単一の操作手段を操作することにより編集開始点および編集終了点の指定、および前記編集プログラミング中の再生速度の切替を行うので、編集プログラミングの操作を容易に行うことができるとともに、編集を実行することによってその内容を再生装置に記録させることができ、もって操作しやすくしかもずれることなくテープの編集ポイントを容易に検索することができる。
【００４６】
請求項５に係る再生装置によれば、通常の再生モードから編集をプログラミング或いは実行するための編集モードへの変更を指示し、前記モード変更手段によって編集モードに変更された場合において、編集プログラミング時と編集実行時とで異なる再生制御を行い、前記処理手段は、前記編集プログラミング時の場合、情報の再生動作を行うとともに、単一の操作手段が操作されることに応じて編集開始点および編集終了点の決定、および再生速度の変更を行って、決定された編集開始点および編集終了点を記憶し、前記編集実行時の場合、前記記憶された編集開始点および編集終了点に応じた情報の再生を行うとともに、他の記録装置の記録動作を制御して再生した情報を記録させるので、編集プログラミングを簡単な操作で行えるとともに、編集動作の状況に適した再生動作を行うことができる。
【００４７】
請求項６に係る再生装置によれば、前記単一の操作手段が繰り返し操作されることに応じて、少なくとも高速再生、通常速度再生、編集開始点の決定および編集終了点の決定が所定の順番で実行されるので、編集プログラミングのための操作を更に容易に行うことができる。
【図面の簡単な説明】
【図１】実施の形態における編集機能内蔵ＶＴＲの構成を示す説明図である。
【図２】編集機能内蔵ＶＴＲの編集モード時における出力画面を示す説明図である。
【図３】編集プログラミング時のモード遷移を示す説明図である。
【図４】編集動作時にテープおよびキャプスタン間の圧着を解かないようにしたモード遷移を示す説明図である。
【図５】従来のビデオテープの編集方法を示す説明図である。
【符号の説明】
１０  再生側ＶＴＲ
１３  編集操作キー
１４  モードセレクトスイッチ
１５  処理手段
１７  記憶手段
２０  記録側ＶＴＲ
【図１】
0003763426.tif 000002
【図２】
0003763426.tif 000003
【図３】
0003763426.tif 000004
【図４】
0003763426.tif 000005
【図５】
0003763426.tif 000006